(57)【特許請求の範囲】
【請求項１】
第１のプラスチック構成要素と、第２のプラスチック構成要素と、該第２のプラスチック構成要素を第１のプラスチック構成要素に固定するためのプラスチックのロック機構とを含むプラスチックの装置であって、前記プラスチックのロック機構は、
前記第２のプラスチック構成要素と一体的に結合されるＵ字状のカンチレバー部材と、該Ｕ字状のカンチレバー部材と一体的に結合されるキャッチ要素と、前記第１のプラスチック構成要素と一体的に結合されるキャッチ要素保持部とを備える第１のロックユニットと、
前記Ｕ字状のカンチレバー部材と一体的に結合される突出部材と、前記第１のプラスチック構成要素と一体的に結合される突出部材保持部とを備える第２のロックユニットと
を備え、前記プラスチックのロック機構が解除位置とロック位置を提供し、
前記解除位置では、前記キャッチ要素は固定されない位置に位置決めされ、前記キャッチ要素は、前記キャッチ要素保持部が前記キャッチ要素をブロックしないように位置決めされていて、前記突出部材は、前記第２のプラスチック構成要素を前記第１のプラスチック構成要素から固定を解除するために前記突出部材保持部が前記突出部材を保持しないように位置決めされていて、
前記ロック位置では、前記キャッチ要素が固定位置に位置決めされていて、前記キャッチ要素保持部は、前記第２のプラスチック構成要素を前記第１のプラスチック構成要素に固定するために前記キャッチ要素をブロックし、前記キャッチ要素を固定位置に維持するために、前記突出部材保持部が前記突出部材を保持している、
プラスチックの装置。
【請求項２】
前記第１のプラスチック構成要素、前記第２のプラスチック構成要素及び前記プラスチックのロック機構が、タルクで満たされたポリプロピレン材料を含んでいることを特徴とする請求項１に記載のプラスチックの装置。
【請求項３】
前記プラスチックのロック機構が、前記プラスチックのロック機構を前記ロック位置に位置決めするために前記Ｕ字状のカンチレバー部材の第１の端部が前記Ｕ字状のカンチレバー部材の第２の端部から離れるよう押圧されるように適合されていることを特徴とする請求項１に記載のプラスチックの装置。
【請求項４】
前記プラスチックのロック機構が、前記プラスチックのロック機構を前記解除位置に位置決めするために前記Ｕ字状のカンチレバー部材の第１の端部が前記Ｕ字状のカンチレバー部材の第２の端部へ向けて押圧されるように適合されていることを特徴とする請求項１に記載のプラスチックの装置。
【請求項５】
前記ロック位置においては、前記キャッチ要素保持部が、第１の方向における前記キャッチ要素の、キャッチ要素の固定を解除する移動をブロックし、前記突出部材保持部が、第２の方向における前記突出部材の、突出部材の固定を解除する移動を制限することを特徴とする請求項１に記載のプラスチックの装置。
【請求項６】
前記第２の方向が前記第１の方向に対して垂直であることを特徴とする請求項５に記載のプラスチックの装置。
【請求項７】
前記突出部材が、前記キャッチ要素と前記Ｕ字状のカンチレバー部材の第１の端部の間に位置決めされていることを特徴とする請求項３又は４に記載のプラスチックの装置。
【請求項８】
前記突出部材が、ディスク要素を備えることを特徴とする請求項１に記載のプラスチックの装置。
【請求項９】
前記突出部材保持部が一対の保持アームを備え、該保持アーム及び前記ディスク要素がソケット及びボール結合機構を提供していることを特徴とする請求項８に記載のプラスチックの装置。
【請求項１０】
前記Ｕ字状のカンチレバー部材の移動を制限する偏向制限部を更に備えることを特徴とする請求項１に記載のプラスチックの装置。
【請求項１１】
前記第１のプラスチック構成要素を前記第２のプラスチック構成要素に結合するためのプラスチックの一体成形ヒンジを更に備えることを特徴とする請求項１に記載のプラスチックの装置。
【請求項１２】
前記第１のプラスチック構成要素、前記第２のプラスチック構成要素及び前記プラスチックのロック機構が、プラスチック射出成形によって生産されていることを特徴とする請求項１に記載のプラスチックの装置。
【請求項１３】
電子的な構成要素を格納するためのプラスチックハウジングであって、該プラスチックハウジングが、
第１のプラスチック構成要素と、
第２のプラスチック構成要素と、
第２のプラスチック構成要素を前記第１のプラスチック構成に固定するためのプラスチックのロック機構と
を備える、請求項１に記載のプラスチックの装置を備える、
プラスチックハウジング。
【発明の詳細な説明】
【技術分野】
【０００１】
本願は、プラスチックハウジング用の改善されたロックに関するものである。プラスチックハウジングは、タルクで満たされたポリプロピレン（ＰＰ）を含んでいる。
【背景技術】
【０００２】
現在、多くのスナップフィットキャッチ機構は、高延性のプラスチック製品のために使用可能である。これら高延性のプラスチック製品は、ポリカーボネート（ＰＣ）材料、アクリルニトリルブタジエンスチレン（ＡＢＳ）材料又はポリプロピレン（ＰＰ）材料で構成されることが可能である。
【０００３】
ポリプロピレンは、そのコストを低減するためにタルクで満たされることができる。満たされていないポリプロピレンと比較して、タルクで満たされたポリプロピレンは、より剛直であるとともに低い降伏強さを有しており、これにより、延び又はひずみの増大を伴って永久変形が始まる。
【発明の概要】
【発明が解決しようとする課題】
【０００４】
本願の課題は、タルク充填されたポリプロピレン（ＰＰ）プラスチックハウジングのための改善されたロック機構を提供することにある。
【課題を解決するための手段】
【０００５】
本願は、プラスチックハウジングのためのプラスチックの装置を提供するものである。プラスチックハウジングは、例えば電子的な構成要素を格納するために用いられることができる。プラスチックの装置は、第１のプラスチック構成要素と、第２のプラスチック構成要素と、第２のプラスチック構成要素の一部を第１のプラスチック構成要素の一部と固定又はロックするためのプラスチックのロック機構とを含んでいる。
【０００６】
一実施例では、第１のプラスチック構成要素はプラスチックケーシングと呼ばれる一方、第２のプラスチック構成要素は保守点検ドアと呼ばれる。プラスチックのロック機構は、保守点検ドアをプラスチックケーシングに固定するためのプッシュトゥロック機構の役割を果たす。プッシュトゥロックロック機構は、スナップフィット機構とは異なる。
【０００７】
スナップフィット機構は、フックのような１つの構成要素の突出部を含んでいるとともに、結合操作中に一時的に偏向されるか、又は曲げられる。そして、突出部は、相手方構成要素のくぼみ又はアンダーカットにおいて係合する。
【０００８】
プッシュトゥロック機構においては、相手方構成要素のくぼみ又はアンダーカットと係合又は引っ掛けるためにユーザが突出部を押圧する必要がある。
【０００９】
プラスチックのロック機構は、第１のロックユニット及び第２のロックユニットを含んでいる。
【００１０】
第１のロックユニットは、Ｕ字状のカンチレバー部材、キャッチ要素及びキャッチ要素保持ユニットを含んでいる。
【００１１】
偏向装置としての役割を果たすＵ字状のカンチレバー部材は、第２のプラスチック構成要素の一端部と一体的に結合される。
【００１２】
キャッチ要素はＵ字状のカンチレバー部材と一体的に結合されている一方、キャッチ要素保持部は、第１のプラスチック構成要素と一体的に結合されている。キャッチ要素及びキャッチ要素保持部の両者は、第１の保持機構としての役割を果たし、ロック状態では、キャッチ要素保持部がキャッチ要素の移動をブロック又は制限する。
【００１３】
第２のロックユニットは、突出部材及び突出部材保持部を含んでいる。突出部材はＵ字状のカンチレバー部材と一体的に結合されている一方、突出部材保持部は、第１のプラスチック構成要素の一端部と一体的に結合されている。突出部材及び突出部材保持部は、第２の保持機構として作用し、ロック状態では、突出部材の移動を制限するために、突出部材保持部が突出部材を保持又は把持する。
【００１４】
プラスチックのロック機構は、解除位置及びロック位置を提供する。
【００１５】
解除位置では、キャッチ要素は、固定されない位置に位置決めされる。この固定されない位置では、キャッチ要素保持部がキャッチ要素をブロックしないようにキャッチ要素が位置決めされる。さらに、突出部材も、突出部材保持部が突出部材を保持しないように位置決めされる。これら部材の位置決めにより、第２のプラスチック構成要素が第１のプラスチック構成要素から固定を解除されることが可能である。換言すれば、第２のプラスチック構成要素は、第１のプラスチック構成要素から離れるように移動することが可能である。
【００１６】
ロック位置では、キャッチ要素は、固定位置に位置決めされ、第２のプラスチック構成要素を第１のプラスチック構成要素に固定するためにキャッチ要素保持部がキャッチ要素の移動をブロック又は制限するようにキャッチ要素保持部がキャッチ要素に隣接して位置決めされる。同時に、突出部材保持部は、キャッチ要素を固定位置に維持するために、突出部材を受け入れるとともに保持する。キャッチ要素は、突出部材保持部が突出部材から離れて位置決めされていないとともに突出部材を保持する限り、固定されない位置へ移動することはできない。
【００１７】
プラスチックのロック機構は、プラスチックのロック機構を解除位置からロック位置に位置決めするためにＵ字状のカンチレバー部材の第１の端部がＵ字状のカンチレバー部材の第２の端部から離れるよう押圧されるように適合されている。
【００１８】
詳細には、ユーザは、第２のプラスチック構成要素の外面が第１のプラスチック構成要素の外面と同一平面であるように第２のプラスチック構成要素を第１のプラスチック構成要素に隣接して位置決めすることができる。そして、ユーザは、Ｕ字状のカンチレバー部材がキャッチ要素の移動をブロックするキャッチ要素保持部にキャッチ要素を隣接させるようにたわむか、又は曲げられるように、Ｕ字状のカンチレバー部材の第２の端部から離れるようにＵ字状のカンチレバー部材の第１の端部を押圧する。固定されたＵ字状のカンチレバー部材も、突出部材を受け入れるとともに保持するために、突出部材保持部に対して突出部材を位置決めする。これら部材の位置決めは、プラスチックのロック機構をロック位置に位置決めするものである。
【００１９】
第１のプラスチック構成要素、第２のプラスチック構成要素及びプラスチックのロック機構は、低コストで剛直な、タルクで満たされたポリプロピレン材料を含んでいる。換言すれば、これら全ての部材は同一の材料で生産されることができ、これにより、これら部材のセンサをプラスチック射出成形の単一のステップによって生産することが可能である。
【００２０】
有利には、プラスチックのロック機構は、第２のプラスチック構成要素を第１のプラスチック構成要素に対して固定するためのより安定的なそしてより確実なロック位置を提供するために、２つのロックユニットを備えている。このようなプラスチックのロック機構は、振動試験及び機械的な衝撃試験のような自動車試験要件にも適合し得る。
【００２１】
さらに、プラスチックのロック機構は、高耐久性を有し得る。プラスチックのロック機構を、破断することなく多数回ロック及びアンロックすることも可能である。
【００２２】
さらに、プラスチックの装置は、単一部材で設けられることができ、この単一部材は、１つの動作ステップで成形され、これにより、短い処理時間及び低コストが得られる。加えて、タルクが充填された低コストのポリプロピレンの使用により、更にコストが削減される。
【００２３】
本願は、更にプラスチックの装置も提供する。プラスチックの装置は、第１のプラスチック構成要素と、第２のプラスチック構成要素と、第２のプラスチック構成要素を第１のプラスチック構成要素と固定するためのプラスチックのロック機構とを含んでいる。
【００２４】
プラスチックのロック機構は、第１のロックユニット及び第２のロックユニットを含んでいる。
【００２５】
第１のロックユニットは、Ｕ字状のカンチレバー部材、キャッチ要素及びキャッチ要素保持ユニットを含んでいる。Ｕ字状のカンチレバー部材は、第２のプラスチック構成要素と一体的に結合される。キャッチ要素はＵ字状のカンチレバー部材と一体的に結合されており、キャッチ要素保持部は、第１のプラスチック構成要素と一体的に結合されている。
【００２６】
第２のロックユニットは、突出部材及び突出部材保持部を含んでいる。突出部材はＵ字状のカンチレバー部材と一体的に結合されている一方、突出部材保持部は、第１のプラスチック構成要素と一体的に結合されている。
【００２７】
プラスチックのロック機構は、解除位置及びロック位置を提供する。
【００２８】
解除位置では、キャッチ要素は、固定されない位置に位置決めされる。この固定されない位置では、キャッチ要素保持部がキャッチ要素をブロックしないようにキャッチ要素が位置決めされ、第２のプラスチック構成要素を第１のプラスチック構成要素から固定を解除するために突出部材保持部が突出部を保持しないように突出部材が位置決めされる。
【００２９】
ロック位置では、キャッチ要素は、固定位置に位置決めされる。この固定位置では、キャッチ要素保持部が、第２のプラスチック構成要素を第１のプラスチック構成要素に固定するためにキャッチ要素の移動をブロック又は制限し、突出部材保持部は、キャッチ要素を固定位置に維持するために突出部材を保持する。
【００３０】
第１のプラスチック構成要素、第２のプラスチック構成要素及びプラスチックのロック機構は、タルクで満たされたポリプロピレン材料を含むことができる。
【００３１】
プラスチックのロック機構は、プラスチックのロック機構を解除位置からロック位置に位置決めするためにＵ字状のカンチレバー部材の第１の端部がＵ字状のカンチレバー部材の第２の端部から離れるよう押圧されるように適合されることができる。
【００３２】
逆に、プラスチックのロック機構は、プラスチックのロック機構を解除位置からロック位置に位置決めするためにＵ字状のカンチレバー部材の第１の端部がＵ字状のカンチレバー部材の第２の端部へ向けて押圧されるように適合されることができる。
【００３３】
ロック位置では、キャッチ要素保持部は、キャッチ要素の第１の方向への、プラスチック構成要素の固定を解除する移動をブロックすることができる。第１の方向は、第１のプラスチック構成要素の外面に対して垂直な平面における方向と呼ばれる。第１の方向へのキャッチ要素の移動は、第２のプラスチック構成要素を第１のプラスチック構成要素から固定が解除されるように作用する。
【００３４】
ロック位置では、突出部材保持部は、突出部材の第２の方向への、突出部材の固定を解除する移動をブロックすることができる。第２の方向への突出部材の移動は、キャッチ要素を、固定されない位置に位置決めするように作用する。
【００３５】
第２の方向は、第１の方向に対して垂直であり得る。
【００３６】
上述の２つの異なる直交する方向におけるキャッチ要素及び突出部材の移動の制限により、より確実で安定したロック機構の効果的な実施が可能となる。
【００３７】
突出部材は、容易な実施のために、キャッチ要素とＵ字状のカンチレバー部材の第１の端部の間に位置決めされることが可能である。
【００３８】
突出部材はディスク要素を含むことができる一方、突出部材保持部は、一対の保持アームを含むことができる。そして、保持アーム及びディスク要素は、より確実で安定した結合を提供することができるソケット及びボール結合機構を提供する。
【００３９】
本願の一形態においては、プラスチックの装置は、Ｕ字状のカンチレバー部材の移動を制限するための偏向制限部を含んでおり、偏向制限部は、第２のプラスチック構成要素と一体的に結合されることができる。移動の制限は、Ｕ字状のカンチレバー部材の高耐久性のためにＵ字状のカンチレバー部材への応力を低減するように作用する。
【００４０】
プラスチックの装置は、第１のプラスチック構成要素を第２のプラスチック構成要素に結合するためのプラスチックの一体成形ヒンジも含むことができる。プラスチックの一体成形ヒンジにより、射出成形が可能である。
【００４１】
第１のプラスチック構成要素、第２のプラスチック構成要素及びプラスチックのロック機構は、短い処理時間及び低い生産コストを有するプラスチック射出成形の単一のステップにより生産されることが可能である。
【００４２】
本願は、電子的な構成要素を格納するためのプラスチックハウジングも提供するものである。プラスチックハウジングは、第１のプラスチック構成要素、第２のプラスチック構成要素及びプラスチックのロック機構を含む上述のプラスチックの装置を含んでいる。プラスチックのロック機構は第２のプラスチック構成要素を第１のプラスチック構成要素に固定するために用いられる一方、第２のプラスチック構成要素は、保守点検ドアとしての役割を果たす。
【図面の簡単な説明】
【００４３】
【図１】プラスチックハウジングがドア及びロック機構を有するプラスチックハウジング部分を含み、ロック機構がロック位置に位置決めされた、改善されたプラスチックハウジングユニットの前方の斜視図である。
【図２】図１のロック機構の平面図である。
【図３】図２のロック機構の断面図である。
【発明を実施するための形態】
【００４４】
以下の説明では、詳細は、本願の実施例を説明するためのものである。しかしながら、実施例はこのような詳細なしに実行され得ることは、当業者にとって明らかである。
【００４５】
実施例のいくつかの部材は、類似の部材を有している。類似の部材は、同一の名称又は類似の部材番号を有し得る。１つの類似の部材の説明は、適宜他の同様の部分を参照することで適用され、これにより、本開示を限定することなく文章の繰り返しを低減する。
【００４６】
図１には、電子機器のためのプラスチックハウジング１が示されている。このプラスチックハウジング１は、射出成形プロセスを用いてタルク充填ポリプロピレンで製造されている。
【００４７】
プラスチックハウジング１は、プラスチックの第１のハウジング部分４と、プラスチックの第２のハウジング部分８と、プラスチックのハウジング部分一体成形ヒンジ（作動ヒンジ）１６とを含んでいる。
【００４８】
第１のハウジング部分４及び第２のハウジング部分８のそれぞれは、リムを有する開放された長方形のボックスの形状を有している。ハウジング部分一体成形ヒンジ（作動ヒンジ）１６は、第１のハウジング部分４のリムを第２のハウジング部分８のリムに一体的に結合させるものである。
【００４９】
プラスチックハウジング１は、いくつかのハウジングロックユニット１９も含んでいる。各ハウジングロックユニット１９は、プラスチックの第１のハウジングロック要素と、対応するプラスチックの第２のハウジングロック要素とを含んでいる。第１のハウジングロック要素は第１のハウジング部分４のリブに位置している一方、第２のハウジングロック要素は、第２のハウジング部分８のリムに位置している。第２のハウジングロック要素は、対応する第１のハウジングロック要素とロックするために適合されている。
【００５０】
第２のハウジング部分８を参照すると、この第２のハウジング部分は、プラスチックのプッシュトゥロックロック機構５及びプラスチックのドア一体成形ヒンジ（作動ヒンジ）２９を有するプラスチックの保守点検ドア又は保守点検カバー２５を含んでいる。
【００５１】
一体成形ヒンジ（作動ヒンジ）２９は、保守点検ドア２５を第２のハウジング部分８に一体的に結合させるものである。保守点検ドア２５は、プラスチックのドア一体成形ヒンジ（作動ヒンジ）２９の長手軸線周りに回転可能である。
【００５２】
図２及び図３においてより良好に見て取れるように、ロック機構５が第１のロックユニット３５と、第２のロックユニット８０と、ロックユニット移動制限部４５とを含んでいる。第１のロックユニット３５は、ロックユニット移動制限部４５の近傍に位置している。
【００５３】
第１のロックユニット３５は、キャッチ要素４８及びキャッチ要素保持ユニット８３を有するＵ字状のカンチレバー４１を含んでいる。Ｕ字状のカンチレバー４１がプラスチックの保守点検ドア２５のエッジ部分に一体的に結合されている一方、キャッチ要素４８は、Ｕ字状のカンチレバー４１に一体的に結合されている。キャッチ要素保持ユニット８３は、第２のハウジング部分８のエッジ部分に一体的に結合されている。
【００５４】
Ｕ字状のカンチレバー４１は、ほぼＵ字状の結合部材４２と、細長い第１のアーム部材４３と、細長い第２のアーム部材４４とを含んでいる。
【００５５】
第１のアーム部材４３の第１の端部５３は、プラスチックの保守点検ドア２５に一体的に結合されている一方、第１のアーム部材４３の第２の端部は、Ｕ字状の結合部材４２の一端部に一体的に結合されている。Ｕ字状の結合部材４２の他端部は、第２のアーム部材４４の第１の端部５９に一体的に結合されている。第１のアーム部材４３及び第２のアーム部材４４は、これらが互いに対向するように配置されている。第２のアーム部材４４は、第１のアーム部材４３に対して、Ｕ字状の結合部材４２周りに数°だけ回転することができる。
【００５６】
第１のアーム部材４３は、拡大されたストッパ部分５５を含んでいる。拡大されたストッパ部分５５は、第１のカンチレバーアーム部材４３の他の部分の断面積よりも大きな断面積を有している。
【００５７】
キャッチ要素４８は、ほぼ直角な台形状の断面を有する細長いはりと、平坦な保持面７７とを含んでいる。細長いはりは、第２のアーム部材４４の外側部分に一体的に結合されている。
【００５８】
キャッチ要素保持ユニット８３は、第２のハウジング部分８のエッジ部分に一体的に結合されている。ロック位置では、キャッチ要素保持ユニット８３は、ドア２５が閉鎖されるとともにドア２５が第２のハウジング部分８に対してロックされるようにキャッチ要素４８をブロックするように適合されている。
【００５９】
第２のロックユニット８０は、ディスク突出部４７と、一対のディスク保持又はホールドアーム９０とを含んでいる。ディスク突出部４７は、このディスク突出部４７がキャッチ要素４８と第２のアーム部材４４の第２の端部６１の間に位置するように、第２のアーム部材４４と一体的に結合されている。ディスクホールドアーム９０は、キャッチ要素保持ユニット８３と一体的に結合されている。
【００６０】
ディスク突出部４７は、ディスク部分６８を含んでいる。ディスクホールドアーム９０のそれぞれは湾曲部分を含んでおり、この湾曲部分は、ロック位置において、ディスクラッチ突出部４７のディスク部分６８を保持するように適合されている。
【００６１】
ロックユニット移動制限部４５を参照すると、このロックユニット移動制限部は、細長いストッパ部分５５の外面近傍に位置するブロック部分４９を含んでいる。
【００６２】
使用時には、プラスチックのハウジング１は、電子機器のような物体を格納するためのものである。
【００６３】
保守点検ドア２５により、物体をプラスチックのハウジング１の内部に配置することが可能である。
【００６４】
ロックユニット移動制限部４５を参照すると、ブロック部分４９は、ストッパ部分５５の移動をブロック又は制限するように作用する。
【００６５】
プッシュトゥロックロック機構５は、ロック位置及び（ロック）解除位置に位置することが可能である。
【００６６】
第１のロックユニット３５を参照すると、ロック位置においては、キャッチ要素４８の保持面７７は、保守点検ドア２５が開放されるのを防止するために、図３に示されているようにｚ軸の方向におけるキャッチ要素４８の移動をキャッチ要素保持ユニット８３が制限又はブロックするように、キャッチ要素保持ユニット８３の外面に隣接して配置されている。ｚ軸はドア２５の開放の方向に延びている。
【００６７】
第２のロックユニット８０を参照すると、ディスク突出部４７のディスク部分６８は、２つのディスクホールドアーム９０の間に位置しており、ディスクホールドアーム９０は、図２及び図３に示されているようにｙ軸に沿ったディスク部分６８の移動を制限するためのディスク部分６８を保持するために設けられている。ｙ軸は、ｘ軸及びｚ軸の平面に対して垂直な方向に延びている。ｘ軸は、図１に示されているように、一体成形ヒンジ２９の長手軸の方向に延びている。ディスク部分６８の移動の制限は、第１のロックユニット３５がロック位置から移動することを妨げるか、又は遅らせる。
【００６８】
換言すれば、ディスクホールドアーム９０は、ディスク部分６８を包囲するとともに、キャッチ要素４８の移動がキャッチ要素保持ユニット８３によって制限されないように、キャッチ要素４８のキャッチ要素保持ユニット８３からの移動を妨げるために、ディスク部分６８を所定の位置に保持する。
【００６９】
第２のロックユニット８０を参照すると、解除位置では、ディスク部分６８が、キャッチ要素４８がキャッチ要素保持ユニット８３から移動するのを許容するためにディスクホールドアーム９０から離れて位置決めされている。
【００７０】
第１のロックユニット３５を参照すると、キャッチ要素４８は、キャッチ要素保持ユニット８３がｚ軸方向におけるキャッチ要素４８の移動をブロック又は制限しないように、キャッチ要素保持ユニット８３から離れて位置決めされている。換言すれば、第１のロックユニット３５により、保守点検ドア２５を解放することが可能である。
【００７１】
要するに、第２のロックユニット８０により、ロックユニット３５をロック位置から解除位置へ移動させることが可能である。
【００７２】
ロック機構５を解除位置からロック位置へ位置させるために、ユーザは、保守点検ドア２５を閉鎖位置に位置させ、保守点検ドア２５は、この保守点検ドア２５の外面が第２のハウジング部分８の外面と同一平面となるまでプラスチックのドア一体成形ヒンジ２９周りに回転する。
【００７３】
そして、上述のように、保守点検ドア２５を第２のハウジング部分８に固定するために、ロック位置においてロック機構５を位置させるよう、ユーザは、第２のアーム部材４４の第２の端部６１を第１のアーム部材４３の第１の端部５３から離れるように押圧する。
【００７４】
ロック機構５をロック位置から解除位置へ位置させるために、保守点検ドア２５が第２のハウジング部分８に固定されないように、ユーザは、第１のアーム部材４３の第１の端部５３へ向けて第２のアーム部材４４の第２の端部６１を押圧する。
【００７５】
そして、保守点検ドア２５は開放位置に位置され、保守点検ドア２５は、この保守点検ドア２５の外面が第２のハウジング部分８の外面と同一平面とならないまでプラスチックのドア一体成形ヒンジ２９周りに回転する。
【００７６】
要するに、プラスチックのＵ字状のカンチレバー４１は、偏向機構として作用する。キャッチ要素４８及びキャッチ要素保持ユニット８３は、第１の保持機構としての役割を果たす。ディスク部分６８及び２つのディスクホールドアーム９０は、第２の保持機構として作用する。
【００７７】
一般的な意味では、第１のアーム部材４３と、ロックユニット移動制限部４５のブロック部分４９とを第１のアーム部材４３の移動を制限するために異なる構成で設けることが可能である。
【００７８】
ボール及びソケット保持機構は、ディスク突出部４７及び第２のロックユニット８０のディスクホールドアーム９０を置き換えることが可能である。
【００７９】
改善されたロック機構５は、いくつかの利点をもたらす。
【００８０】
第１のロックユニット３５と、第２のロックユニット８０と、ロックユニット移動制限部４５のブロック部分４９とは、ロック位置において、異なる直交方向においてロック機構５の部分の移動を制限する。そして、これにより、ロック機構５は、安定し、確実なロック位置を有することが可能である。
【００８１】
この移動の制限は、ロック機構の部分が細長い破断点（ｂｒｅａｋ  ｐｏｉｎｔ）に至るのを妨げ、これにより、ロック機構５の部分の破断が防止される。
【００８２】
このようなロック機構５は、振動試験及び機械的な衝撃試験のような自動車試験要件に適合し得る。
【００８３】
ロック機構５は、剛直で低い延び破断点を有するプラスチック製品にも適している。なぜなら、ロック機構５の２つのロックユニットはロック位置と解除位置の間で移動する際にわずかにたわむか曲がることのみが必要であるためである。
【００８４】
これらの特徴により、破断することなくロック機構５を多数回ロック及びアンロックすることも可能である。換言すれば、ロック機構５は高耐久性を有している。
【００８５】
タルクで満たされたポリプロピレン材料は、低い材料コストを有しているとともに、プラスチックのハウジング１を生産するために用いられることができる。
【００８６】
ロック機構５は、追加の工具を用いることなく容易に動作されることも可能である。
【００８７】
さらに、ロック機構５を有するプラスチックのハウジング１は、単一部材で設けられることができ、この単一部材は、１つの動作ステップで成形され、これにより、短い処理時間及び低コストが得られる。
【００８８】
ロック機構５は、全てではないいくつかの上述の利点のみを達成可能な他のプラスチックのロックとは異なっている。
【００８９】
実施例は、項目リストにまとめられる特徴又は要素の以下のリストによっても説明され得る。項目リストに開示される特徴の各組合せは、それぞれ、本願の他の特徴とも組み合わせることができる独立した主題とみなされる。
【００９０】
１．第１のプラスチック構成要素と、第２のプラスチック構成要素と、該第２のプラスチック構成要素を前記第１２のプラスチック構成要素に固定するためのプラスチックのロック機構とを含むプラスチックの装置であって、前記プラスチックのロック機構は、
−前記第２のプラスチック構成要素と一体的に結合されるＵ字状のカンチレバー部材と、該Ｕ字状のカンチレバー部材と一体的に結合されるキャッチ要素と、前記第１のプラスチック構成要素と一体的に結合されるキャッチ要素保持部とを含む第１のロックユニットと、
−前記Ｕ字状のカンチレバー部材と一体的に結合される突出部材と、前記第１のプラスチック構成要素と一体的に結合される突出部材保持部とを含む第２のロックユニットと
を含み、前記プラスチックのロック機構が解除位置とロック位置を提供し、
−前記解除位置では、前記キャッチ要素は固定されない位置に位置決めされ、前記キャッチ要素は、前記キャッチ要素保持部が前記キャッチ要素をブロックしないように位置決めされており、前記突出部材は、前記第２のプラスチック構成要素を前記第１のプラスチック構成要素から固定を解除するために前記突出部材保持部が前記突出部材を保持しないように位置決めされており、
−前記ロック位置では、前記キャッチ要素が固定位置に位置決めされており、前記キャッチ要素保持部は、前記第２のプラスチック構成要素を前記第１のプラスチック構成要素に固定するために前記キャッチ要素をブロックし、前記キャッチ要素を固定位置に維持するために、前記突出部材保持部が前記突出部材を保持し、前記プラスチックのロック機構が、前記プラスチックのロック機構を前記ロック位置に位置決めするために、前記Ｕ字状のカンチレバー部材の第１の端部が前記Ｕ字状のカンチレバー部材の第２の端部から離れるように押圧されるように適合されており、前記第１のプラスチック構成要素、前記第２のプラスチック構成要素及び前記プラスチックのロック機構が、タルクで満たされたポリプロピレン材料を含んでいる、前記プラスチックの装置。
【００９１】
２．第１のプラスチック構成要素と、第２のプラスチック構成要素と、該第２のプラスチック構成要素を前記第２のプラスチック構成要素に固定するためのプラスチックのロック機構とを含むプラスチックの装置であって、前記プラスチックのロック機構は、
−前記第２のプラスチック構成要素と一体的に結合されるＵ字状のカンチレバー部材と、該Ｕ字状のカンチレバー部材と一体的に結合されるキャッチ要素と、前記第１のプラスチック構成要素と一体的に結合されるキャッチ要素保持部とを含む第１のロックユニットと、
−前記Ｕ字状のカンチレバー部材と一体的に結合される突出部材と、前記第１のプラスチック構成要素と一体的に結合される突出部材保持部とを含む第２のロックユニットと
を含み、前記プラスチックのロック機構が解除位置とロック位置を規定し、
−前記解除位置では、前記キャッチ要素は固定されない位置に位置決めされ、前記キャッチ要素は、前記キャッチ要素保持部が前記キャッチ要素をブロックしないように位置決めされており、前記突出部材は、前記第２のプラスチック構成要素を前記第１のプラスチック構成要素から固定を解除するために前記突出部材保持部が前記突出部材を保持しないように位置決めされており、
−前記ロック位置では、前記キャッチ要素が固定位置に位置決めされており、前記キャッチ要素保持部は、前記第２のプラスチック構成要素を前記第１のプラスチック構成に固定するために前記キャッチ要素をブロックし、前記キャッチ要素を固定位置に維持するために、前記突出部材保持部が前記突出部材を保持している、前記プラスチックの装置。
【００９２】
３．前記第１のプラスチック構成要素、前記第２のプラスチック構成要素及び前記プラスチックのロック機構が、タルクで満たされたポリプロピレン材料を含んでいることを特徴とする項目２に記載のプラスチックの装置。
【００９３】
４．前記プラスチックのロック機構が、前記プラスチックのロック機構を前記ロック位置に位置決めするために前記Ｕ字状のカンチレバー部材の第１の端部が前記Ｕ字状のカンチレバー部材の第２の端部から離れるよう押圧されるように適合されていることを特徴とする項目２又は３に記載のプラスチックの装置。
【００９４】
５．前記プラスチックのロック機構が、前記プラスチックのロック機構を前記解除位置に位置決めするために前記Ｕ字状のカンチレバー部材の第１の端部が前記Ｕ字状のカンチレバー部材の第２の端部へ向けて押圧されるように適合されていることを特徴とする項目２〜４のいずれかに記載のプラスチックの装置。
【００９５】
６．前記ロック位置においては、前記キャッチ要素保持部が、第１の方向における前記キャッチ要素の、プラスチック構成要素の固定を解除する移動をブロックし、前記突出部材保持部が、第２の方向における前記突出部材の、突出部材の固定を解除する移動を制限することを特徴とする項目１〜５のいずれかに記載のプラスチックの装置。
【００９６】
７．前記第２の方向が前記第１の方向に対して垂直であることを特徴とする項目６に記載のプラスチックの装置。
【００９７】
８．前記突出部材が、前記キャッチ要素と前記Ｕ字状のカンチレバー部材の第１の端部の間に位置決めされていることを特徴とする項目１〜７のいずれかに記載のプラスチックの装置。
【００９８】
９．前記突出部材が、ディスク要素を含んでいることを特徴とする項目１〜８のいずれかに記載のプラスチックの装置。
【００９９】
１０．前記突出部材保持部が一対の保持アームを含んでおり、該保持アーム及び前記ディスク要素がソケット及びボール結合機構を提供していることを特徴とする項目９に記載のプラスチックの装置。
【０１００】
１１．前記Ｕ字状のカンチレバー部材の移動を制限する偏向制限部を更に含んでいることを特徴とする項目１〜１０のいずれかに記載のプラスチックの装置。
【０１０１】
１２．前記第１のプラスチック構成要素を前記第２のプラスチック構成要素に結合するためのプラスチックの一体成形ヒンジを更に含んでいることを特徴とする項目１〜１１のいずれかに記載のプラスチックの装置。
【０１０２】
１３．前記第１のプラスチック構成要素、前記第２のプラスチック構成要素及び前記プラスチックのロック機構が、プラスチック射出成形によって生産されていることを特徴とする項目１〜１２のいずれかに記載のプラスチックの装置。
【０１０３】
１４．電子的な構成要素を格納するためのプラスチックハウジングであって、該プラスチックハウジングが、
−第１のプラスチック構成要素と、
−第２のプラスチック構成要素と、
−該第２のプラスチック構成要素を前記第１のプラスチック構成に固定するためのプラスチックのロック機構と
を含む項目１〜１２のいずれかに記載のプラスチック装置を含んでいる、前記プラスチックハウジング。
【０１０４】
上記説明は多くの特殊性を含んでいるが、この説明は、実施例の範囲を制限するものとして構成されるべきではなく、予測し得る実施例の実例を単に提供するものである。実施例の上述の利点は、実施例の範囲を制限するものとして構成されるべきではなく、上述の実施例が実施される場合に可能な予測し得る実績を単に説明するものである。したがって、実施例の範囲は、上記例よりはむしろ特許請求の範囲及びこれと同等なものによって規定されるべきである。
【符号の説明】
【０１０５】
１              プラスチックハウジング
４              第１のハウジング部分
５              ロック機構
８              第２のハウジング部分
１６            ハウジング部分一体成形ヒンジ
１９            ハウジングロックユニット
２５            保守点検ドア２５
２９            ドア一体成形ヒンジ
３５            第１のロックユニット
４１            Ｕ字状のカンチレバー
４２            Ｕ字状の結合部材
４３            第１のアーム部材
４４            第２のアーム部材
４５            ロックユニット移動制限部
４７            ディスク突出部
４８            キャッチ要素
４９            ブロック部分
５３            第１の端部
５４            第２の端部
５５            ストッパ部分
５９            第１の端部
６１            第２の端部
６８            ディスク部分
７７            保持面
８０            第２のロックユニット
８３            キャッチ要素保持ユニット
９０            ディスク保持アーム
【図１】
0006794471.tif 000002
【図２】
0006794471.tif 000003
【図３】
0006794471.tif 000004